(57)【要約】【課題】比較的簡単な構成で、広大な設置スペースを取ることなく多くの視標を配設することのできる両眼視検査装置を提供する。【解決手段】被検眼に提示される視標対３２と、複数の視標対３２が軸対称に左右に配置された視標表示板３０と、視標表示板３０の回転を制御する視標表示板制御手段と、視標対３２の表示状態を変化させる視標表示制御手段と、を少なくとも備え、複数の視標対３２の中から選択された固視対象視標対３２を被検眼に提示する。【選択図】図３
2007167206.tif 000002
【特許請求の範囲】
【請求項１】
被検眼に提示される視標対と、
複数の視標対が軸対称に左右に配置された視標表示板と、
視標表示板の回転を制御する視標表示板制御手段と、
視標対の表示状態を変化させる視標表示制御手段と、
を少なくとも備え、
複数の視標対の中から選択された固視対象視標対を被検眼に提示することを特徴とする両眼視検査装置。
【請求項２】
前記固視対象視標対が遠方位置に存するか又は近方位置に存すると被検眼が視覚するように、視標表示制御手段は視標対の表示状態を変化させることを特徴とする、請求項１記載の両眼視検査装置。
【請求項３】
前記固視対象視標対が明暗表示されるように、視標表示制御手段は視標対の表示状態を変化させることを特徴とする、請求項１記載の両眼視検査装置。
【発明の詳細な説明】
【技術分野】
【０００１】
本発明は、斜視、斜位や立体視等の両眼視機能を検査する両眼視検査装置に関する。
【背景技術】
【０００２】
この種の両眼視検査装置は、斜視、斜位や立体視等の両眼視機能を検査するだけでなく、被検眼に対して視覚的に変化する視標対を固視させ、被検眼の毛様筋を運動させることにより、被検眼にリラクゼーション効果を提供する視機能訓練機能を併せ持った装置が知られている。
【０００３】
図１に示した従来の両眼視検査装置では、図２に示すように、複数の視標対１３２が縦長の視標表示板１３０上に配設されており、縦長の視標表示板１３０を上下に動かす駆動手段が設けられている（例えば、特許文献１を参照）。図１において、光学部１１０と照明光源１２０との間に視標表示板１３０が移動可能に配置され、視標表示板１３０の一端に取り付けられたベルト１５０を回転ダイヤル１４０によって駆動することにより、視標表示板１３０が上下に摺動する。視標表示板１３０には、遠方用視標や近方用視標等の様々な絵柄の描かれた視標対１３２が長手方向に整列配置されており、回転ダイヤル１４０を回転させることにより被検者に提示される視標対１３２の絵柄が変更されるように構成されている。
【０００４】
このような縦長視標表示板タイプの両眼視検査装置では、多くの視標対１３２を視標表示板１３０に配置すればするほど、視標表示板１３０が縦長で広大な設置スペースや移動スペースを取ってしまうために、装置が大型化するという問題を有している。また、回転ダイヤル１４０やベルト１５０やプーリ等の駆動部品を用いて視標表示板１３０を動かしているために、視標表示板１３０の駆動機構が複雑になってしまうという問題も有している。
【０００５】
また、特許文献１の従来技術の説明欄において、多角柱形状をした回転ドラムの各面に視標対を設けた回転ドラムタイプの装置も使用されていると記載されている。回転ドラムタイプの装置では、比較的多くの視標対を配設することができるものの、回転ドラムの交換に時間と手間がかかるとともに、視標対を照明する光源が回転ドラム内部に配設されているために、回転ドラムの構造が複雑になり、その作製に手間とコストがかかるという問題を有している。
【０００６】
【特許文献１】特開平０２−２６８７３２号公報
【発明の開示】
【発明が解決しようとする課題】
【０００７】
したがって、本発明の解決すべき技術的課題は、比較的簡単な構成で、広大な設置スペースを取ることなく多くの視標を配設することのできる両眼視検査装置を提供することである。
【課題を解決するための手段及びその作用と効果】
【０００８】
上述の技術的課題を解決するために、本発明に係る両眼視検査装置は、以下の特徴を有する。
【０００９】
すなわち、本発明に係る両眼視検査装置は、
被検眼に提示される視標対と、
複数の視標対が軸対称に左右に配置された視標表示板と、
視標表示板の回転を制御する視標表示板制御手段と、
視標対の表示状態を変化させる視標表示制御手段と、
を少なくとも備え、
複数の視標対の中から選択された固視対象視標対を被検眼に提示することを特徴とする。
【００１０】
上記構成によれば、視標表示板を回転させて、複数の視標対の中から選択された固視対象視標対が被検眼に提示される位置に視標表示板が位置決めされる。このとき、視標表示制御手段により視標対が被検眼に対して視覚的刺激を与えるので、眼の毛様筋の緊張を緩和させることができる。そして、複数の視標対が配設された視標表示板を回転駆動させるという簡単な機構で構成されているので、広大な設置スペースを取ることもなく多くの視標を配設することができる。
【００１１】
固視対象視標対が遠方位置に存するか又は近方位置に存すると被検眼が視覚するように、視標表示制御手段は視標対の表示状態を変化させる。
【００１２】
被検眼に対して視覚的刺激を与える方法として、固視対象視標対が遠方位置に存するか又は近方位置に存すると被検眼が視覚するようにすることができる。
【００１３】
視標対が遠方又は近方にあるように視覚させる方法として、視標対が物理的に遠方又は近方に交互に移動する構成とすることも可能である。しかしながら、視標対が現実に移動する場合にはその移動スペースを必要とする。このような不都合を解消するために、視標表示制御手段は、固視対象視標対が遠方位置又は近方位置で結像するように光軸に沿って移動する結像光学部を含む構成とすることが好ましい。このような移動光学系を用いて視標対の交互移動を視覚させることによって、両眼視検査装置をコンパクトに構成することができる。
【００１４】
被検眼に対して視覚的刺激を与える方法として、固視対象視標対が明暗表示されるように、視標表示制御手段は視標対の表示状態を変化させることができる。
【００１５】
焦点位置可変手段は、視標対の配設された視標表示板を光軸に沿って移動可能に構成されたものとすることもできるが、回転機構と移動機構が一緒になって視標表示板周辺の機構が複雑になってしまう。視標対に焦点を合わせる光学部を光軸に沿って移動可能に構成されたものであることが好ましい。比較的コンパクトに構成することのでいる光学部を用いることにより、装置全体をコンパクト化することができる。
【発明を実施するための最良の形態】
【００１６】
以下に、本発明に係る両眼視検査装置の一実施形態を、図３乃至５を参照しながら詳細に説明する。
【００１７】
図３乃至５に示した両眼視検査装置は、専ら被検眼に視機能訓練機能（リラクゼーション効果）を提供する専用の装置である。なお、本発明の両眼視検査装置は、専用の両眼視検査装置とする代わりに、絵柄の描かれた左右一対の視標対を左右の眼で見て、その絵柄がどのように視覚されるかを調べる立体視検査等を行う両眼視検査器に視機能訓練機能を組み込んだ形で使用することもできる。
【００１８】
図３は、本発明の一実施形態に係る両眼視検査装置１の主要部の構成を示す斜視図であり、図４は、図３の両眼視検査装置１における視標表示板３０の回転駆動機構を説明する図であり、図５は、図４の視標表示板３０の回転駆動機構の斜視図である。
【００１９】
図３に示した両眼視検査装置１の主要部は、不図示の暗箱内に収納されている。両眼視検査装置１の被検者側には、左右の一対の接眼レンズ１２を有する。両眼視検査装置１の被検者との反対側には、左右の一対の照明光源２０が設けられている。照明光源２０としては、電球やＬＥＤ等が使用される。照明光源２０の前方すなわち被検者側には、照明光源２０からの光を均一に拡散照明するための拡散板２４が設けられている。左右の接眼レンズ１２の光軸の間隔は、大略、被検眼の瞳孔間距離になるように設計されており、被検眼が自然な形で視標対を固視できるように、接眼レンズ１２間の間隔が微調整できるように構成されている。
【００２０】
接眼レンズ１２と照明光源２０との間には、被検者側から順に、レンズ５２と視標表示板３０とが配設されており、それらの光軸が一致し、左右の光軸が平行になるように構成されている。
【００２１】
円形又は正多角形をした視標表示板３０は、ステッッピングモータ等の回転駆動モータ４０によって回転軸４５を中心に取付基板３４上で回転駆動されるように構成されている。図４に示すように、視標表示板３０が円形である場合、その視標表示板３０の側周縁は、取付基板３４の左下部に配置された回転駆動モータ４０と、取付基板３４の左上部及び右下部に配置された２つのローラ４２とに当接して、それらによって回転駆動される。視標表示板３０の回転状態は、取付基板３４の右下部に配置された位置検出センサ（フォトセンサ）３６によって検出され、視標表示板３０がどの位置にあるかが検出されている。検出された視標表示板３０の位置情報は、視標表示板制御手段としての回路部（例えば、ＣＰＵ）で管理・制御されて、あとどれだけの量を回転させるかという回転情報が回転駆動モータ４０にフィードバックされて、視標表示板３０の回転駆動量が制御される。その結果、視標表示板３０の所定の視標対３２が、左右の光軸の位置と一致する位置に位置決めされる。なお、視標表示板３０の回転軸４５が回転駆動モータ４０の回転駆動軸と同軸になるように、回転駆動モータ４０を配置することもできる。
【００２２】
視標表示板３０には、視標対３２を回転軸４５を対称にして左右に形成された複数の開口窓を備えている。左右の各開口窓の中心は、左右の光軸に一致し、被検眼の瞳孔間距離に大略一致するように構成されている。絵柄の印刷されたフィルム状の視標対３２は、対向する開口窓に対して正確に位置決めされて固定される。視標対３２は、様々な方法で視標表示板３０に対して固定可能であるが、例えば、接着剤による固定、両面接着テープによる固定、視標表示板３０に形成された枠への装着、視標表示板３０と凹部を有する枠板との間での挟持等の方法で固定される。
【００２３】
図４及び５に示した視標対３２の場合、６対の絵柄から構成されているが、８対や１０対やそれ以上の絵柄を配設することができる。したがって、広大な設置スペースを取ることもなく、多くの視標を配設することができる。６対の絵柄は、被検者が飽きることがないように、それぞれ異なった絵柄から構成されており、例えば、犬と蝶と魚の３つの動物が描かれた絵柄や、山と家と人物からなる風景が描かれた絵柄から構成されている。これらの絵柄は、立体視検査用チャートとしても用いることができるように、左右の絵柄がわずかにずれているように描かれている。したがって、正常に両眼視できる被検眼は、犬と蝶と魚がある順序で立体的に浮き上がっているように視覚することができる。視標対３２を立体視検査用チャートとして使用しない場合、平面的に視覚される絵柄を用いることもできる。いずれの場合も、これらの視標対３２に対しては、照明光源２０の光が拡散板２４を介して背後から照明される。
【００２４】
左右の一対のレンズ５２は、レンズ駆動部６０によって光軸に沿って基台上を滑動するように構成されており、固視対象視標対３２が遠方位置又は近方位置で結像するように光軸方向に沿って移動することができる。
【００２５】
視標対３２が遠方位置で結像するようにレンズ５２を移動させ、視標対３２が遠方にあると視覚される状態で１０秒程度被検眼に提示する。そのあと、視標対３２が近方位置で結像する位置にレンズ５２を移動させ、視標対３２が近方にあると視覚される状態で１０秒程度被検眼に提示する。このように、レンズ５２を動かして、光学的に遠方位置及び近方位置にある視標対３２を交互に被検眼に凝視させることによって、被検眼に動的な視覚的刺激が与えられ、被検眼に視機能訓練機能（リラクゼーション効果）が提供される。したがって、光学的に視標対３２を遠方位置及び近方位置に移動させるレンズ５２やレンズ駆動部６０が、視標表示制御手段を構成する。
【００２６】
また、照明光源２０が明るくなったり暗くなったりすることを繰り返すことで、固視対象視標対の表示状態が動的に変化することにより、被検眼に動的な視覚的刺激が与えられて、被検眼に視機能訓練機能（リラクゼーション効果）が提供される。この場合、照明光源２０の明暗を制御する照明制御回路が、視標表示制御手段を構成する。
【図面の簡単な説明】
【００２７】
【図１】従来技術に係る両眼視検査装置を説明する図である。
【図２】図１の両眼視検査装置における視標表示板を示す図である。
【図３】本発明の一実施形態に係る両眼視検査装置の主要部を示す斜視図である。
【図４】図３の両眼視検査装置における視標表示板の回転駆動機構を説明する図である。
【図５】図４の視標表示板の回転駆動機構の斜視図である。
【符号の説明】
【００２８】
１  両眼視検査装置
１２  接眼レンズ
２０  照明光源
２４  拡散板
３０  視標表示板
３２  視標対
３４  取付基板
３６  位置検出センサ（フォトセンサ）
４０  回転駆動モータ
４２  ローラ
４５  回転軸
５２  レンズ
６０  レンズ駆動部
【図１】
2007167206.tif 000003
【図２】
2007167206.tif 000004
【図３】
2007167206.tif 000005
【図４】
2007167206.tif 000006
【図５】
2007167206.tif 000007